(57)【要約】【課題】先組のコンクリート型枠に、対峙するように他方のコンクリート型枠を建て込むには、視認できないセパレータコーンのおねじが、コンクリート型枠のセパ穴に合致させなければならない。しかし、セパレータは一時的に片持ち状態で下降しがちとなるので、手間の掛かることが多かった。【解決手段】少なくても一方の前記セパレータコーンＣを、外形形状を裁頭円錐形とし、かつコンクリート型枠１’側に、肉薄の筒状部４１２とすると共に漏斗状キャップ４１３を別途嵌め込んで擂鉢状に拡開したセンタリング用凹部４１４を形成し、そして軸中心には両端から逆向きに螺設された一対のねじ穴４１５、４１６が連続して設けられたコーン本体４１１と、一端がこのコーン本体４１１内の前記ねじ穴４１５に着脱可能に螺着され、他端はコンクリート型枠１’外面に突出させるようにしてなる軸足セパ５６とで構成される分解・組立て型の構造とした。【選択図】        図２
2004324276.tif 000002
【特許請求の範囲】
【請求項１】
一対のコンクリート型枠を、セパレータ本体及びこのセパレータ本体の両端部に螺着して用いるものであって前記コンクリート型枠のコンクリート打設側内面に当接させると共に、、軸足セパをコンクリート型枠に設けたセパ穴を介して外面に突出させるセパレータコーンとによって所定の間隔に対峙させ、コンクリート型枠外面に突出する前記軸足セパにフォームタイのタイロッドを締結してコンクリート打設空間を形造る施工構造であって、
少なくても一方の前記セパレータコーンを、外形形状を裁頭円錐形とし、かつコンクリート型枠側に、肉薄の筒状部とすると共に漏斗状キャップを別途嵌め込んで擂鉢状に拡開したセンタリング用凹部を形成し、そして軸中心には両端から逆向きに螺設された一対のねじ穴が連続して設けられたコーン本体と、一端がこのコーン本体内の前記ねじ穴に着脱可能に螺着され、他端はコンクリート型枠外面に突出させるようにしてなる軸足セパとで構成される分解・組立て型の構造としたことを特徴とするコンクリート型枠の施工構造。
【請求項２】
コーン本体を、センタリング用凹部を構成するための金属製の漏斗状キャップ、逆向きに螺設されたねじ穴を構成するための鍔付の金属製パイプ及びコーン本体の外形を形造るプラスチック製コーンにて構成すると共に、これらを分解・組立て可能に嵌め合わせるものにて構成したことを特徴とする請求項１記載のコンクリート型枠の施工構造。
【請求項３】
フォームタイは、タイロッドとバタ材を止めるナット及び座金からなり、このフォームタイのタイロッド先端部に、前記コーン本体に螺着された軸足セパを螺着するようにしたことを特徴とする請求項１記載のコンクリート型枠の施工構造。
【請求項４】
前記フォームタイは、タイロッド先端部に、軸足セパの一端を予め螺着して固定し、コンクリート型枠のセパ穴よりコーン本体に締め込むようにしたものとすることを特徴とする請求項１記載のコンクリート型枠の施工構造。
【請求項５】
セパレータコーンを、外形形状を裁頭円錐形とし、かつコンクリート型枠側に、肉薄の筒状部とすると共に漏斗状キャップを別途嵌め込んで擂鉢状に拡開したセンタリング用凹部を形成し、そして軸中心には両端から逆向きに螺設され一対のねじ穴が連続して設けられたコーン本体と、一端がこのコーン本体内前記ねじ穴に着脱可能に螺着され、他端はコンクリート型枠外面に突出させるよういしてなる軸足セパとで構成される分解・組立て型の構造としたことを特徴とするセパレータコーン。
【請求項６】
コーン本体を、センタリング用凹部を構成するための金属製の漏斗状キャップ、逆向きに螺設されたねじ穴を構成するための鍔付の金属製パイプ及びコーン本体の外形を形造るプラスチック製コーンにて構成すると共に、これらを分解・組立て可能に嵌め合わせるものにて構成したことを特徴とする請求項５記載のセパレータコーン。
【請求項７】
コーン本体の前記凹部の穴底に取り外し用の欠込み溝を有することを特徴とする請求項５記載のセパレータコーン。
【請求項８】
前記軸足セパは、フォームタイ側の端部にスパナー掛け用のネック部を有することを特徴とする請求項５記載のセパレータコーン。
【発明の詳細な説明】
【０００１】
【発明の属する技術分野】
この発明は、コンクリートにより建築用又は土木用の壁、柱、土台などを形成する場合にセパレータによって所定の間隔に対峙させる一対のコンクリート型枠の施工構造及びこれに用いるセパレータコーンに関するものである。
従来、コンクリート型枠を対峙させて立設固定するには、大型の型枠であるとコンクリート型枠同士を繋ぐ金具、コンクリート型枠の外側に配する横バタ材、縦バタ材、コンクリート型枠を垂直に支えるための支柱、筋交い、これらを繋ぐ金具などというように極めて多くの構成部品を使用する必要があった。
しかし、本発明は、堰板を複数縦横に並べて、一対のコンクリート型枠を構成し、これらを一定の間隔に保つために、型枠の内側（コンクリート打設空間側）に配置するセパレータの施工構造及びこれに用いるセパレータコーンに関するものである。
【０００２】
【従来の技術】
従来複数の合板製の堰板を繋げて得る大型のコンクリート型枠１、１を所定の間隔、すなわちコンクリート構造物の壁厚に合致させるようにセパレータ２を介して対峙するように建て込んでいる（特許文献１）。
【０００３】
上記特許文献１に開示されているコンクリート型枠１、１の内部に配置されるセパレータ２は、図６〜図７に示すように、両端部におねじ３１を形成したロッド状のセパレータ本体３と、コンクリート硬化後に打設コンクリート面から取り外すセパレータコーン４よりなるものである。このセパレータコーン４は、裁頭円錐形をなすプラスチック成形品、或いは木製品からなり、軸心にはセパレータ本体３のおねじ３１に螺着するめねじ４１とコンクリート型枠１に穿ったセパ穴１１より外側に突出するおねじ（軸足セパとも言う）４２を設けてなるものである。
このセパレータ２をコンクリート型枠１に取り付けるには、該コンクリート型枠１の表面から外側に突出しているセパレータ本体３のおねじ（軸足セパ）３１にフォームタイ５で固定することが必要になる。
【０００４】
前記フォームタイ５は、先端部にセパレータコーン４のおねじ４２にねじ込むためのねじ穴５１の穴が形成してあり、後端部側にはおねじ５２を設けたタイロッド５３と、おねじ５２にねじ込むナット５４及び、コンクリート型枠１背面の縦桟６及び丸パイプからなる横バタ材７、７を掴持する座金５５を、タイロッド５３に遊嵌させてなるものである。
このフォームタイ５のタイロッド５３のねじ穴５１内には、コンクリート型枠１を挟んで前記セパレータコーン４のおねじ４２が螺合され、このことによってセパレータ２との連結が行われると共に、座金５５にて横バタ材７、７としての二つのパイプにつかむようにしてからナット５４を締め付けることで、コンクリート型枠の施工が行われる。
【０００５】
コンクリート型枠の施工に当たっては、例えば先組する一方のコンクリート型枠１のセパ穴１１には、セパレータ２のセパレータコーン４のおねじ４２を通して、フォームタイ５のねじ穴５１をセパレータコーン４のおねじ４２にねじこみ、横バタ材７、７を介し座金５５をあてがい、次いでナット５４をねじ込むことで一体として基盤上に建て込むことができる。このときセパレータ２は片持ち状態となる（図６）。
【０００６】
その後、他方のコンクリート型枠１’を、前記コンクリート型枠１とコンクリート打設空間を挟んで対峙するようにレッカーなどで基盤上に建て込み、セパレータコーン４の突出するおねじ４２を、このコンクリート型枠１’のセパ穴１１に合わせて挿入し、このおねじ４２にフォームタイ５のタイロッド体５３のねじ穴５１をねじ込み、その後、横バタ材７、７を掴持する座金５５をタイロッド５３に通し、ナット５４を締め付けることでセパレータ２を固定していた（図７）。
【０００７】
【特許文献１】
実公昭５９−２９０７６号公報（第２図、第３図）
【０００８】
【発明が解決しようとする課題】
一般に、コンクリート型枠１、１’の間（コンクリート打設空間）には、図示しないが鉄骨や鉄筋が配設され、かつ。コンクリート中に埋没する多数のセパレータ２が取り付けられている。このようにコンクリート施工環境では、先組のセパレータ２を取り付けたコンクリート型枠１に対峙するように、他方のコンクリート型枠１’を建て込むには、視認できないセパレータコーン４のおねじ４２が、コンクリート型枠１のセパ穴１１に合致するようにしなければならない。
しかも、実際には大型のコンクリート型枠１、１’であると多数のセパレータ２を配置することになり、しかも、このセパレータは一時的に片持ち状態となるので開放端が下降しがちとなって位置づれを起す。そのため、全てのセパレータコーン４の突出するおねじ４２とコンクリート型枠１のセパ穴１１との位置合わせをするのに手間の掛かることが多かった。
このように、従来のコンクリート型枠の施工構造については、セパレータ２及びフォームタイ５を用いてコンクリート型枠１、１’を対峙するように施工する場合、作業性が悪いという問題があった。
【０００９】
そこで、出願人は、かって特願２００２−１８４３１４号として、セパレータ２の一方のセパレータコーン４１１を、コンクリート型枠１に内接するのみとし、加えて、セパレータコーン４１１の軸心の貫通穴には、コンクリート型枠１’側に擂鉢状に拡開させたセンタリング用凹部４１２と逆向きに螺設された一対のねじ穴４１３、４１４を形成するようにし、そして、他方のフォームタイ５には、コンクリート型枠１に内接するのみのセパレータコーン４１１のねじ穴４１３にねじ込むおねじ５６ａ（軸足５６）を設けるようにしたセパレータコーンを提案した（図８）。
【００１０】
このような構成を採用したことにより、コンクリート型枠の施工に際して、先組の型枠１にセパレータ２を予め取り付け、他方のコンクリート型枠１’の外側からフォームタイ５のおねじ５６ａを使ってセパレータコーン４１１のねじ穴４１５に締め付ける際に、セパレータコーン４１１に擂鉢状の拡開させたセンタリング用凹部４１２があるので、若干の位置ずれがあっても、しかもコンクリート型枠１’の外側からそのセパレータコーン４１１のねじ穴４１３が視認できなくても、容易かつ確実に両者の螺合連結を果たすことができ、セパレータコーン４１１と軸足５６との円滑な組み付けが支障を生じることなく迅速にできるのである。
【００１１】
しかし、発明者の経験によると、上述のセパレータコーン４１１については、時として打設コンクリートから外れなくなることがあった。
そこで、この発明の目的は、養生硬化後のコンクリートからセパレータコーンを確実に外すことができると共に、施工時にセパレータコーンとフォームタイのセンタリングを容易にするためのセパレータコーンを開発すること、およびこのようなセパレータコーンを用いたコンクリート型枠の施工構造とを提案することにある。
【００１２】
【課題を解決するための手段】
上記目的の実現に向けた研究の中で発明者は、上述したように、先に、特願２００２−１８４３１４号として新規なセパレータコーンを提案した。そこで、本発明では、前記先行提案したセパレータコーンを前提としてさらに改良してなる、次のような要素構成からなるセパレータコーンを提案する。
すなわち、本発明は、一対のコンクリート型枠を、セパレータ本体及びこのセパレータ本体の両端部に螺着して用いるものであって前記コンクリート型枠のコンクリート打設側内面に当接させると共に、、軸足セパをコンクリート型枠に設けたセパ穴を介して外面に突出させるセパレータコーンとによって所定の間隔に対峙させ、コンクリート型枠外面に突出する前記軸足セパにフォームタイのタイロッドを締結してコンクリート打設空間を形造る施工構造であって、少なくても一方の前記セパレータコーンを、外形形状を裁頭円錐形とし、かつコンクリート型枠側に、肉薄の筒状部とすると共に漏斗状キャップを別途嵌め込んで擂鉢状に拡開したセンタリング用凹部を形成し、そして軸中心には両端から逆向きに螺設された一対のねじ穴が連続して設けられたコーン本体と、一端がこのコーン本体内の前記ねじ穴に着脱可能に螺着され、他端はコンクリート型枠外面に突出させるようにしてなる軸足セパとで構成される分解・組立て型の構造としたことを特徴とするコンクリート型枠の施工構造である。
【００１３】
なお、本発明において、前記フォームタイは、タイロッドとバタ材を止めるナット及び座金からなり、このフォームタイのタイロッド先端部に、前記コーン本体に螺着された軸足セパを螺着するようにしたものであることが好ましく、そして、このフォームタイのタイロッド先端部に、軸足セパの一端を予め螺着して固定し、コンクリート型枠のセパ穴よりコーン本体に締め込むようにすることが好ましい。
【００１４】
さらに、本発明は、セパレータコーンを、外形形状を裁頭円錐形とし、かつコンクリート型枠側に、肉薄の筒状部とすると共に漏斗状キャップを別途嵌め込んで擂鉢状に拡開したセンタリング用凹部を形成し、そして軸中心には両端から逆向きに螺設され一対のねじ穴が連続して設けられたコーン本体と、一端がこのコーン本体内前記ねじ穴に着脱可能に螺着され、他端はコンクリート型枠外面に突出させるようにしてなる軸足セパとで構成される分解・組立て型の構造としたことを特徴とするセパレータコーンを提案する。
【００１５】
本発明において、上記コーン本体を、センタリング用凹部を構成するための金属製の漏斗状キャップ、逆向きに螺設されたねじ穴を構成するための鍔付の金属製パイプ及びコーン本体の外形を形造るプラスチック製コーンにて構成すると共に、これらを分解・組立て可能に嵌め合わせるものにて構成するものであることが好ましい。また、上記フォームタイは、タイロッドとバタ材を止めるナット及び座金からなり、少なくとも一方のフォームタイのタイロッド先端部に、前記コーン本体に螺着された軸足セパに締め込むようにしたこと、及びタイロッドの先端部に、軸足セパの一端を予め螺着して固定し、コンクリート型枠のセパ穴よりコーン本体に締め込むようにしたものであることが好ましい。
【００１６】
また、本発明において、上記セパレータコーンは、コーン本体の前記凹部の穴底に取り外し用の欠込み溝を有することが好ましく、前記軸足セパは、フォームタイ側の端部にスパナー掛け用のネック部を有することが好ましい。
【００１７】
【発明の実施の形態】
以下、本発明の構成を図面に示す実施の形態に即して説明する。
本発明に係るコンクリート型枠の施工構造では、図１、図２に示す通り、セパレータ２、フォームタイ５を用いて一対のコンクリート型枠１、１’を対峙させて、コンクリートを打設する空間を形成するように組み立てる。
この場合、前記セパレータ２は、両端部におねじ３１を形成したロッド状のセパレータ本体３と、このセパレータ本体３の両端部に螺着してコンクリート内面に接触させると共に、コンクリート硬化後には取り外すセパレータコーン４、Ｃよりなるものが用いられる。
かかるセパレータコーン４は、外形形状が裁頭円錐形をなすプラスチック成形品、或いは木製品からなり、軸心にはセパレータ本体３のおねじ３１を螺着するめねじ４１と、そしてコンクリート型枠１に穿ったセパ穴１１より外側に突出させるおねじ４２が設けてある。
【００１８】
前記セパレータ２をコンクリート型枠１、１’どうしを一定の間隔を介在させて固定するには、該コンクリート型枠１の外側からセパレータ本体３のおねじ３１部にフォームタイ５を締め付けることが必要である。すなわち、先組する一方のコンクリート型枠１のセパ穴１１には、セパレータ２のセパレータコーン４のおねじ４２を通して、フォームタイ５のねじ穴５１をセパレータコーン４のおねじ４２にねじこみ、横バタ材７、７を介し座金５５をあてがい、次いでナット５４をねじ込むことで一体として基盤上に建て込むことになる。このときセパレータ２は片持ち状態となる（図６）。
【００１９】
本発明において、施工能率を上げるためにとくに採用したセパレータ２のセパレータコーンＣは、コーン本体４１１と、この本体４１１に対して着脱可能に螺着する別体の軸足セパ５６とからなるものである（図２）。このセパレータコーンＣのコーン本体４１１は、外形は裁頭円錐形をなし、コンクリート型枠１’側を肉薄に形成して筒状部４１２とすると共に、金属製の漏斗状等キャップ４１３を着脱可能に嵌め込んで擂鉢状に拡開したセンタリング用凹部４１４を形成し、軸中心には両端から逆向きに螺設された一対のねじ穴４１５、４１６が設けられ、このねじ穴４１５（フォームタイ５側）には、軸足セパ５６が着脱可能に取り付けられている。なお、このねじ穴４１５、４１６はコーン本体４１１に対して着脱可能に嵌め込まれる鍔付の金属製パイプ４１８によって形成される。
【００２０】
上記センタリング用凹部４１４の存在が、本発明に係るセパレータコーンＣの最も特徴的な構成であり、コンクリート型枠の施工時に、この凹部４１４にコンクリート型枠１’の外側から、セパ穴１１を介して軸足セパ５６を挿入して前記ねじ穴４１５に螺合させ、該セパレータコーンＣと軸足セパ５６とを連結するときに、該凹部４１４が見えない状態でも自動的にセンタリングできることから確実に連結することができる。
【００２１】
図示した符号４１７は、コーン本体４１１の凹部４１４の穴底に形成した取り外し用の欠込み溝で、コンクリート硬化後にコンクリート型枠１’を外したとき、コンクリート内に埋設状態で残るコーン本体４１１を電動ドライバーや専用治具等を差し込んで回し、コーン本体４１１より外して再利用に供するために設けてある（図４）。
【００２２】
一方、本発明に係る上記セパレータコーンＣは、上記の構成に加えて、コンクリート型枠１’側を肉薄の筒状部４１２としたので、型枠１、１’の解体に当たり、コンクリート面からこのセパレータコーンＣを抜き取るとき、該筒状部４１２の肉薄周壁部分が内向きに倒れ易くなり、取り外しが容易になるという効果がある。
【００２３】
前記コーン本体４１１は、上述したねじ穴４１５、４１６を形造るために、内周面にめねじを刻設した鍔付の金属製パイプ４１８が着脱可能に嵌め合わせてあり、この金属製パイプ４１８のコンクリート型枠１’側にはプラスチック製筒状部４１２内に納まるように、センタリング用凹部４１４を形成するための金属製の漏斗状キャップ４１３が着脱可能に嵌め込まれている。
【００２４】
また、本発明に係るセパレータコーンＣでは、図３に示すように、コーン本体４１１が、金属製の漏斗状キャップ４１３、鍔付の金属製パイプ４１８及び筒上部４１２を有するプラスチック製コーン４１９を別途製作して、分解組立て可能に嵌め合わせてなる分解・組立て型コーンとして構成されている。
【００２５】
なお、前記金属製パイプ４１８は、その外周が多角形状としてあって，  前記プラスチック製コーン４１９内に嵌め合わせたときに回転しないように工夫されている。また、このプラスチック製コーン４１９の前記コンクリート型枠１’に対面する側の端部には、前記漏斗状キャップ４１３が前記金属製パイプ４１８の一端部に着脱可能に嵌着されていると共に，  金属製パイプ１８には取り外し用の欠込み溝４１７が形成してある。
このような構成とすることで、プラスチック製コーン４１９が変形しても、そのコーンのみを取り替えることで、傷みの少ない金属製パイプ４１８や漏斗状キャップ４１３は多数回の使用にも耐えることができる。
【００２６】
本発明に係るセパレータコーンＣは、コーン本体４１１に対しコンクリート型枠１’を貫通させるおねじを固定せず、前記金属パイプ４１８に螺着させる着脱可能な軸足セパ５６（図３）を別途設けることとし、この軸足セパ５６をコーン本体４１１およびタイロッド５３の双方に螺合させるようになっている。
即ち、この軸足セパ５６は、両端部におねじ５６ａ、５６ｂを形成した両ねじボルトであり、一端をコーン本体４１１内のねじ穴４１３に着脱可能に螺着し、他端はコンクリート型枠１のセパ穴１１からコンクリート型枠１’外に突出させるようにする。そして、この軸足セパ５６の軸方向の中央部には平坦面５６ｂ、５６ｂが形成してあり、この位置にレンチなどを使ってフォームタイ５のタイロッド５３のねじ穴５１にねじ込めるようにしてある。なお、この軸足セパ５６には、フォームタイ５側のおねじ５６ａ先端を、同様に削って形成したスパナ掛け用のネック部５６ｃが設けてある。
【００２７】
締付用フォームタイ５は、従来品と同様の構成、すなわち、先端部にセパレータコーン４のおねじ４２や軸足セパ５６にねじ込むために螺設したねじ穴５１が形成してあり、後端部側にはおねじ５２を設けたタイロッド５３と、おねじ５２にねじ込むナット５４及び、コンクリート型枠１、１’背面の縦桟６及び丸パイプからなる横バタ材７、７を掴持する座金５５を、タイロッド５３に遊嵌させてなるものである。
【００２８】
次に、本発明に係るコンクリート型枠施工方法の一例について述べる。
複数の合板製の堰板を左右方向に並列させ、縦桟６に打ちつけることにより一枚の外壁側のコンクリート型枠１とし、外側には横バタ材７、７を添わせ、必要に応じて別途、縦バタ材で補強する。
一方、セパレータ本体３のおねじ３１の一方に、めねじ４１を設けると共に突出するおねじ４２を備えた従来型のセパレータコーン４をねじ込み、このセパレータ本体３の他方のおねじ３１には、コンクリート型枠１’側に擂鉢状に拡開させたセンタリング用凹部４１４を有する本発明に係るセパレータコーンＣのコーン本体４１１をねじ穴４１６にてねじ込む。
そして、前記セパレータ２のセパレータコーン４を外壁側のコンクリート型枠１のセパ穴１１よりおねじ４２を突出させ、このおねじ４２にフォームタイ５のねじ穴５１をねじ込み、フォームタイ５の座金５５及びナット５４で横バタ材７、７を止めてコンクリート型枠１を形成し、レッカー作業にて予め地面に設けた図示しない支柱、筋交いなどのサポート金具で基盤に建て込み、まず先組のコンクリート型枠１を構築する。
【００２９】
次に、複数の合板製の堰板を左右方向に並列させ、縦桟６に打ちつけることで内壁側のコンクリート型枠１’とし、外側には横バタ材７、７を添わせ、必要に応じて別途縦バタ材で補強する。このコンクリート型枠１’を、レッカーで吊り上げて、先組のセパレータ２を取り付けたコンクリート型枠１と対峙するようにを配置して後組のコンクリート型枠１’とする。このときにコンクリート型枠１、１’の対応するセパ穴１１は平行位置となるようにする。
【００３０】
フォームタイ５先端のねじ穴５１に、両端側におねじ５６ａ、５６ａを設けた軸足セパ５６のネック部５６ｃ側を、平坦面５６ｂ、５６ｂをレンチにて挟んでねじ込み、フォームタイ５の先端におねじ５６ａが突出するようにしておく。
そして、フォームタイ５の軸足セパ５６の他端のおねじ５６ａを、コンクリート型枠１’のセパ穴１１を通してコーン本体４１１にねじ込み、フォームタイ５のナット５４及び座金５５で横バタ材７、７を止め、支柱、筋交いなどのサポート金具で基盤に垂直に建て込むのである。
【００３１】
その後、対峙させたコンクリート型枠１、１’相互間の空間内にコンクリートを打設し、養生硬化後にコンクリート型枠１、１’を脱型解体する。このとき、まずセパレータコーンＣ側から外すようにする。すなわち、コンクリート型枠１’側のフォームタイ５のナット５４を緩めつつ、横バタ材７、７を外し、座金５５を取り外す。次いで、フォームタイ５のタイロッド５３を緩めるように回転させると、軸足セパ５６が一体に外れることになる。軸足セパ５６がコンクリート型枠１’の外側に突出したままでフォームタイ５が外れた場合は、軸足セパ５６のネック部５６ｃをレンチなどで回転させることで軸足セパ５６を取り外すことになる。
【００３２】
すると、このコンクリート型枠１’の外側には支えるものが全くなくなるので、コンクリート型枠１’はフリーとなり、クレーンで簡単に吊りあげることができる。この点、従来のコンクリート型枠の施工工事では、フォームタイ５をゆるめた外した時点ではまだ、従来型セパレータコーン４のおねじ４２がコンクリート型枠１’のセパ穴１１中を貫通したままの状態になっているので、コンクリート型枠１を立てたまま平行移動させなければ解体ができず面倒な手間が必要であったが、本発明では、この作業が不要となる。
【００３３】
次に、セパレータコーン４、コーン本体４１１を外して、それによって生じた窪みにモルタルを充填して表面を平滑にする。このとき、コーン本体４１１には欠込み溝４１５があるので、この溝４１５に電動ドライバーを差し込み回転させることでコーン本体４１１を簡単に取り外すことができる。
【００３４】
なお、軸足セパ５６をコンクリート型枠１のセパ穴１１を通してコーン本体４１１にねじ込み取り付けてから、フォームタイ５のねじ穴５１に軸足セパ５６のおねじ５６ａにねじ込むようにすることもできる。
【００３５】
これまでの説明では、フォームタイ５を同一の構造のものを採用したものとした。そこで、一方のコーン本体４１１がコンクリート型枠１のセパ穴１１から外におねじ４２が突き出ることがなく、ねじ穴４１３を備えたものであるので、締結のために軸足セパ５６で補うようにした。
しかし、フォームタイ５の一方を、先端にコーン本体４１１のねじ穴４１３にねじ込むことができるねじ棒を一体に備える構成とすれば軸足セパ５６は不要となる。
また、実施の形態では一方側のセパレータコーンＣをコーン本体４１１と軸足セパ５６とより構成したものとしたが、双方に軸足セパ５６を別途設けるようにしたものとしてもよい。
【００３６】
【発明の効果】
本発明は、以上のような構成からなるもので、コンクリート型枠の施工構造としては、少なくても一方のセパレータコーンを、外形形状を裁頭円錐形となし、コンクリート型枠側を肉薄の筒状部とすると共に、漏斗状キャップを別途嵌め込んで擂鉢状に拡開したセンタリング用凹部を有すると共に、そして軸中心には両端から逆向きに螺設された一対のねじ穴が連続して設けられたコーン本体と、一端がこのコーン本体内ねじ穴に着脱可能に螺着され、他端がコンクリート型枠外面に突出する軸足セパとから構成される分解・組立て型の構造としたので、一方の外枠にセパレータを取り付けて建て込み、他方の外枠を対峙させて建て込むときに、コンクリート型枠のセパ穴にセパレータのセパレータコーンのおねじを厳密に合致させる必要も手間もなくなるという効果がある。
【００３７】
そして、前記セパレータコーンは、コンクリート型枠の軸方向で端側を肉薄にして筒状部に形成したので、セパレータコーンが固化したコンクリート層内に閉じ込められて外れないという障害がなくなる。
【００３８】
また、本発明に係る型枠施工構造では、フォームタイは、タイロッドとバタ材を止めるナット及び座金からなり、少なくとも一方のフォームタイのタイロッド先端部に、前記コーン本体に螺着された軸足セパに締め込むようにしたので、フォームタイを従来と同様な構造のものを採用したので、この施工構造を採用する場合の初期費用を抑えることができる。
【００３９】
また、本発明に係る施工構造では、フォームタイのタイロッド先端部に、軸足セパの一端を予め螺着固定し、コンクリート型枠のセパ穴よりコーン本体に締め込むようにしたので、作業手順が良好で組み立てがすみやかになる。
【００４０】
また、本発明に係るセパレータコーンは、外形形状を裁頭円錐形とし、コンリート型枠側を肉薄に形成して筒状部とすると共に漏斗状キャップを別途嵌め込んで擂鉢状に拡開したセンタリング用凹部を形成し、そして軸中心には両端から逆向きに螺設され一対のねじ穴が連続して設けられたコーン本体を採用したので、特に、コンクリート型枠側を肉薄にして筒状部としたので、コーン本体が硬化したコンクリート内に閉じ込められ外れないということがなく、繰り返し使用することができ総合的には経済的になる。
【００４１】
また、コーン本体を、金属製の漏斗状キャップ、鍔付の金属製パイプ及びプラスチック製コーンのそれぞれを別途製作し、分解・組立て型のコーンとして構成すれば、たとえ、プラスチック製コーンが損傷しても、その損傷したコーンのみを取り替えることで、キャップや金属製パイプについては多数回の使用に耐えることができるようになり、コスト的に有利である。
【００４２】
また、一端がこのコーン本体内ねじ穴に着脱可能に螺着され、他端がコンクリート型枠外面に突出する軸足セパを採用したので、先組のコンクリート型枠にセパレータを取り付け建て込んだ後、微細な傾きやセパレータの自重による開放端のささいな下降があっても、先組のコンクリート型枠と対峙させるコンクリート型枠を建て込み、軸足セパや予め軸足をねじ込んだフォームタイをコンクリート型枠のセパ穴からねじ込むに際して擂鉢状のセンタリング用凹部によって補正され、確実に締め付けることができることになる。
【図面の簡単な説明】
【図１】この発明に係るフォームタイとセパレータコーンの取り付け状態の要部断面図である。
【図２】この発明に係るコンクリート型枠へのセパレータとフォームタイの組付状態の要部断面図である。
【図３】フォームタイに取り付ける軸足セパの正面図である。
【図４】この発明に係るセパレータコーン本体の斜視図Ａ及び分解斜視図Ｂである。
【図５】Ａ、Ｂはこの発明に係るセパレータコーンの断面図である。
【図６】従来のコンクリート型枠へのセパレータの施工方法を示す断面図である。
【図７】従来の外枠へのセパレータ及びフォームタイの組付状態を示す断面図である。
【図８】出願人の提案したセパレータコーンの使用状態の断面図である。
【符号の説明】
１  コンクリート型枠
２  セパレータ
３  セパレータ本体
４  セパレータコーン
Ｃ  セパレータコーン
４１１  コーン本体
５６  軸足セパ
５  フォームタイ
５３  タイロッド
５４  ナット
５５  座金
６  縦桟
７  横バタ材
【図１】
2004324276.tif 000003
【図２】
2004324276.tif 000004
【図３】
2004324276.tif 000005
【図４】
2004324276.tif 000006
【図５】
2004324276.tif 000007
【図６】
2004324276.tif 000008
【図７】
2004324276.tif 000009
【図８】
2004324276.tif 000010